(57)【要約】本発明は、支持片(２)が、導体(１)の孔(４)に係合しかつ支持片上に導体を固定するための締付けナット(５)と協働するよう構成されたスタッド(３)を具備してなるシステムに関する。本発明は、導電リングスペーサ(６)が支持片(２)に面するその面上で導体(１)に対して接合されることを特徴とする。本発明はまた、リング(７)が導体の反対側の面に配置されることを特徴とする。その上、リング(７)はスペーサ(６)に対する固定のための浮動手段(７ａ,７ｂ)を具備し、これは、導体の上記孔(４)を貫通して延在するよう構成されている。本発明はさらに、上記ナット(５)が固定手段(５ａ,５ｂ)を用いてリング(７)に接合されることを特徴とし、これは、導体(１)の位置決めおよびその支持片(２)に対する固定を容易にするため、リングから離れた取付けポジションとナットがリングに当接状態で載る固定ポジションとの間での、ナット(５)のリング(７)に対する回転、およびナット(５)の、確定された移動長さに沿ったリング(７)に対する軸方向の移動を可能にする。
2006520523.tif 000002
【特許請求の範囲】
【請求項１】
プレートの形態の少なくとも一つの導電体(１)を、導体(１)の対応する孔(４)に係合しかつ支持片上に前記導体をネジ留めするためのナット(５)と協働するよう構成されたネジピンを備えた前記支持片(２)の上に電気的に接続すると共に固定するためのシステムであって、
導電素材からなる環状スペーサ(６)が支持片(２)に面する前記導体の面上で導体(１)に対して接合され、かつリング(７)が前記導体(１)の反対側の面に配置されると共に前記導体の対応する孔(４)を貫通して延在するよう構成されたスペーサ(６)上に接合するための浮動手段(７ａ,７ｂ)を具備してなり、かつナット(５)は、導体(１)の支持片(２)に対する位置決めおよびネジ留めを容易にするために、前記リングに対する前記ナットの回転および前記リングから離れた組立てポジション(図１、図２)と前記ナットが前記リング(７)に当接して支持されるネジ留めのためのポジション(図３)との間での、前記リング(７)に対するナット(５)の確定コースの軸方向移動を可能にする接合手段(５ａ,５ｂ)によってリング(７)に対して接合されることを特徴とするシステム。
【請求項２】
ネジピン(３)上での心出しを容易にするため、前記導体の孔(４)は概して長円形であることを特徴とする請求項１記載のシステム。
【請求項３】
リング(７)をスペーサ(６)の上に接合するための前記手段は、前記導体の対応する孔(４)に係合すると共に前記スペーサ(６)の相補的掛止手段(６ａ)と協働するよう構成された、フック型タブ(７ａ,７ｂ)を具備してなることを特徴とする請求項１または請求項２に記載のシステム。
【請求項４】
ナット(５)をリング(７)の上に固定するための前記手段は、前記リング(７)の相補的掛止手段(７ｃ)と協働するよう構成されたフック型タブ(５ａ,５ｂ)を具備してなることを特徴とする請求項１ないし請求項３のいずれか１項に記載のシステム。
【請求項５】
ナット(５)をリング(７)の上に接合するための前記手段は、筒状スリーブ形態のナットを具備してなり、前記ナットは、前記リング(７)の相補的掛止手段(７ｃ)と協働するよう構成された掛止手段を備えることを特徴とする請求項１ないし請求項３のいずれか１項に記載のシステム。
【請求項６】
前記相補的掛止手段は、少なくとも一つの対応するリムを具備してなることを特徴とする請求項３ないし請求項５のいずれか１項に記載のシステム。
【請求項７】
支持片(２)は、ネジピン(３)のレベルに補強片(２ｂ)を有することを特徴とする請求項１ないし請求項６のいずれか１項に記載のシステム。
【請求項８】
支持片(２)は他の導体によって形成されることを特徴とする請求項１ないし請求項７のいずれか１項に記載のシステム。
【請求項９】
支持片(２)は電気部品によって形成されることを特徴とする請求項１ないし請求項７のいずれか１項に記載のシステム。
【請求項１０】
支持片(２)は電気接続プレートによって形成されることを特徴とする請求項１ないし請求項７のいずれか１項に記載のシステム。
【発明の詳細な説明】
【技術分野】
【０００１】
本発明は、少なくとも一つのプレート型導電体を支持片上に電気的に接続しかつ固定するためのシステムに関する。
【０００２】
さらに詳しく言うと、本発明は、支持片が、導体の対応する孔に係合すると共に導体を支持片上にネジ留めするためのナットと協働するよう構成されたネジピンを具備するようなシステムに関する。
【背景技術】
【０００３】
そうした接続システムは、現在、導電体の接続を確実なものとするため、たとえばプレートまたはバスバーシステムにおいて使用されている。
【０００４】
そうしたシステムの一例は特許文献１に開示されている。
【０００５】
概して、この接続システムは、特に、アクセス困難な場所での導体の支持片に対する位置決めおよびネジ留めの際に、かなり多くの欠点を呈することも知られている。
【０００６】
実際、この接続システムは概して電源キャビネットまたはバスケットの底に位置させられ、組立作業員にとってはアクセスが困難である。
【０００７】
組立作業員がこのシステムを構成する部品の一つ以上を放し、この部品を回収するのが困難になるかあるいは不可能になることさえも起こり得る。
【０００８】
それゆえ、これは、特にキャビネットまたはバスケットの残部の電気的完全性に関して問題であり、危険でさえある、ということがわかる。
【特許文献１】FR-A-2,784,241
【発明の開示】
【発明が解決しようとする課題】
【０００９】
本発明の目的はそれゆえ上記問題を解決することである。
【課題を解決するための手段】
【００１０】
この目的のため、本発明の対象は、少なくとも一つのプレート型導電体を、導体の対応する孔に係合しかつ支持片上に導体をネジ留めするためのナットと協働するよう構成されたネジピンを備えた支持片の上に、電気的に接続すると共に固定するためのシステムであって、導電素材からなる環状スペーサが支持片に面する上記導体の面上で導体に対して接合され、かつリングが上記導体の反対側の面に配置されると共に上記導体の対応する孔を貫通して延在するよう構成されたスペーサ上に接合するための浮動手段を具備してなり、かつナットは、導体の支持片に対する位置決めおよびネジ留めを容易にするために、リングに対するナットの回転および上記リングから離れた組立てポジションとナットが上記リングに当接して支持されるネジ留めのためのポジションとの間での、上記リングに対するナットの確定コースの軸方向移動を可能にする接合手段によってリングに対して接合されるシステムである。
【００１１】
他の特徴によれば、
・ネジピンの上での心出しを容易にするため導体の孔は概して長円形を有し、
・リングをスペーサの上に接合するための手段は、導体の対応する孔に係合すると共に上記スペーサの相補的掛止手段と協働するよう構成されたフック型タブを具備してなり、
・ナットをリングの上に固定するための手段は、リングの相補的掛止手段と協働するよう構成されたフック型タブを具備してなり、
・ナットをリングの上に接合するための手段は、筒状スリーブ形態のナットを具備してなり、このナットはリングの相補的掛止手段と協働するよう構成された掛止手段を備え、
・相補的掛止手段は少なくとも一つの対応するリムを具備してなり、
・支持片はネジピンのレベルに補強片を有し、
・支持片は他の導体によって形成され、
・支持片は電気部品によって形成され、そして
・支持片は電気接続プレートによって形成される。
【００１２】
本発明は、単に実例として挙げた、そして添付図面を参照してなされた以下の説明からより良く理解されるであろう。
【発明を実施するための最良の形態】
【００１３】
実際、少なくとも一つのプレート型導電体(参照数字１によって指し示す)を支持片(参照数字２によって指し示す)の上に電気的に接続すると共に固定するためのシステムが図１ないし図６に示されている。
【００１４】
この支持片２は  参照数字３によって指し示すネジピンを有し、このネジピンは、導体１の対応する孔４に係合すると共に導体を支持片２の上にネジ留めするためのナット５と協働するよう構成されている。
【００１５】
実際、支持片の実施形態の他の変形例を考えることもできる。
【００１６】
したがって、この支持片２は、他の導体、電気部品、電気接続用のプレートまたはバーその他から形成できる。
【００１７】
図示の実施例において、支持片２は他の導体(図では参照数字２ａによって指し示す)から形成され、他の導体２ａはネジピン３のレベルに補強片(参照数字２ｂで指し示す)を備える。
【００１８】
もちろん他の実施形態を考えることもできる。
【００１９】
したがって、上記構造によって、ネジピン３は支持片２の上に堅固に固定されることがわかる。
【００２０】
本発明による接続システムは導電素材からなる環状スペーサを具備してなるが、これは図では参照数字６によって指し示される。
【００２１】
導電素材６からなる環状スペーサは、導体１に対して、支持片２に面する上記導体の面上で接合されている。
【００２２】
リング(図では参照数字７によって指し示す)は、上記導体の反対側の面に配置されると共に、スペーサ上に接続するための浮動手段を具備する。この浮動手段は、上記導体の対応する孔４を貫通して延在するよう構成されている。
【００２３】
もちろん、上記浮動接続手段の他の実施形態を考えることもできる。
【００２４】
ゆえに、たとえば上記接続手段は、たとえば図において参照数字７ａおよび７ｂで指し示すもののようなフック形タブの形態を有することができ、これらフック形留め具は、導体の対応する孔４に係合すると共にたとえば上記スペーサの対応するリム(図においては参照数字６ａによって指し示す)によって形成された、スペーサ６の相補的掛止手段と協働するよう設計されている。
【００２５】
したがって、フック形留め具の、スペーサの相補的掛止手段への係合は、スペーサ６上への、したがって導体１の上へのリング７の浮動接続を確実なものとすることが可能であることがわかる。
【００２６】
もちろん、他の実施形態、たとえばスペーサのリム６ａと協働するよう構成された掛止手段を備えた筒状スリーブのリングを考えることもできる。
【００２７】
その上、ナット５はリング７に対して、このナットの上記リングに対する回転および上記リングに対する上記ナットの、上記リングから離れた組立てのためのポジション(図１および図２に示す)と、ナットがこのリングに当接して支持されるネジ留めのためのポジション(図３に示す)との間での確定コースの軸方向移動を可能にする連結手段によって接合される。
【００２８】
ナットをリング上に結合するための上記手段は、もちろん、他の形態を有することもできる。
【００２９】
ゆえに、たとえば、ナットをリング上に接合するための上記手段はまた、たとえば図に示されるタブ５ａおよび５ｂのような、たとえばリングのリム７ｃによって形成されたリング７の相補的掛止手段と協働するよう構成された、フック形タブの形態を有することもできる。
【００３０】
もちろん、他の実施形態を考えることもでき、しかもナットをリング上に接合するための上記手段はまた筒状スリーブの形態のナットを有することもできる。このナットの自由端は、リングの相補的掛止手段と協働するよう構成された掛止手段を備える。
【００３１】
この場合、ナットのスリーブの端部はまた、少なくとも一つの突出部を有すると共に、スペーサの相補的掛止手段は、ナットのリング上へのこの接合を確実なものとするための少なくとも一つの対応するリムを具備する。
【００３２】
こうして、ナットがリングに接合されるので、それはまた導体に対して接続されることがわかる。
【００３３】
これによって、導体上に接続されるリング、ナットおよびスペーサ(なくしてはならない部品)を用いて組立てのためのシステムを形成することが可能となり、導体は支持片上へスライド式に固定可能である。
【００３４】
導体の孔は、特に図１および図７に示すように、ネジピン上でその心出しを容易にする、概して長円形を有することもできることに留意されたい。
【００３５】
実際、リング、スペーサ、およびそれゆえナットは、組立てポジションにおいて導体上に浮動様式で取り付けられる。これによって、このサブアセンブリが導体の長円形孔内で導体に対してわずかに動くことが可能となる。これは、支持片のネジピンと上記サブアセンブリとの間の、起こり得るアライメント不良の補償を可能とするためである。
【００３６】
その上、上記リングから離れた組立てのためのポジションと、ナットがこのリングに当接して支持されるネジ留めのためのポジションとの間でのリング７に対するナット５の確定コースの軸方向移動は、図７に示すように、この型のいろいろな接続システムを備えた導体を支持片上で組立てるのを極めて容易にする。
【００３７】
実際、導体１が上記のような、それを支持片２のいくつかのスタッド３の上に接合するのを可能にする、さまざまな接続システムを有する場合、リング７に対するナット５の確定コースの軸方向移動は、ナット５の存在によって邪魔されることなく、支持片２に当接するよう導体１をまず配置することを可能とする。なぜなら、それは、スタッドによって支持されて、リングから離れたその組立てポジションに位置させられるからであり、上記ナット５の軸方向移動は、その後、続いて、後のナットを次々と締込むことを可能にする。
【００３８】
図７において、右側のシステムは組立てポジションで示されており、ナット５はネジピン３によって組立てポジションで支持されている。一方、左側のシステムは、リング、導体およびスペーサを支持片２に対してネジ留めするポジションで示されている。
【００３９】
ゆえに、組立作業員は、導体の移動あるいは変形のリスクを伴わず、互いに別個にナットを締込むことができる。
【００４０】
もちろん他の実施形態を考えることもできる。
【図面の簡単な説明】
【００４１】
【図１】組立てポジションでの本発明による電気接続システムの斜視図である。
【図２】本システムの断面図である。
【図３】ネジ留めポジションでの本システムの斜視図である。
【図４】本システムの構成に含まれるリングの斜視図である。
【図５】本システムの構成に含まれるナットの斜視図である。
【図６】本システムの構成に含まれる環状スペーサの斜視図である。
【図７】本接続システムの応用の一例の断面図である。
【符号の説明】
【００４２】
１  導電体
２  支持片
３  ネジピン
４  孔
５  ナット
５ａ,５ｂ  タブ
６  環状スペーサ
６ａ  リム
７  リング
７ａ,７ｂ  タブ
７ｃ  リム
【図１】
2006520523.tif 000003
【図２】
2006520523.tif 000004
【図３】
2006520523.tif 000005
【図４】
2006520523.tif 000006
【図５】
2006520523.tif 000007
【図６】
2006520523.tif 000008
【図７】
2006520523.tif 000009
【国際調査報告】
2006520523.tif 000010
2006520523.tif 000011
2006520523.tif 000012
2006520523.tif 000013
2006520523.tif 000014
2006520523.tif 000015